(57)【要約】      （修正有）【課題】構成が簡略で、構成部品点数も少なく、かつ、立ち上がり壁部の上部や側方の領域の有効利用を実現することができる仮設部材補助支持具を提供する。【解決手段】仮設部材補助支持具１は、立上がり壁部３１の頂部に沿って配置する第１嵌合管状部３と、立上がり壁部３１の一方の立上がり壁面に当接させる当接管状部４とを備える第１の管状屈曲部材２と、第１嵌合管状部３に伸縮可能に嵌合させる第２嵌合管状部６と、立上がり壁部３１の他方の立上がり壁面側方に臨ませる側方管状部７とを備える第２の管状屈曲部材５と、第１嵌合管状部３、第２嵌合管状部６の嵌合位置を位置決め固定する位置決め固定機構部１１と、側方管状部７に取り付けられ、第１の管状屈曲部材２、第２の管状屈曲部材５を立上がり壁部３１の所望の位置に締め付け固定する締め付け固定具２１と、第１の管状屈曲部材２の外周所望の位置に配置した任意数のクランプ８と、を有する。【選択図】図１
0003233176.tif 000002
【実用新案登録請求の範囲】
【請求項１】
立上がり壁部の頂部に掴み込み態様で装着して各種仮設部材を支持する仮設部材補助支持具であって、
立上がり壁部の頂部に沿って配置する第１嵌合管状部と、立上がり壁部の一方の立上がり壁面に当接させる当接管状部とを屈曲形態で備える第１の管状屈曲部材と、
前記第１の管状屈曲部材の第１嵌合管状部に対して立上がり壁部の頂部側で伸縮可能に嵌合させる第２嵌合管状部と、前記立上がり壁部を頂部側から掴み込む態様で前記立上がり壁部の他方の立上がり壁面側方に臨ませる側方管状部とを屈曲形態で備える第２の管状屈曲部材と、
前記第１嵌合管状部、第２嵌合管状部の嵌合位置を位置決め固定する位置決め固定機構部と、
前記第２の管状屈曲部材の側方管状部に取り付けられ、前記位置決め固定機構部により嵌合位置が位置決め固定された前記第１の管状屈曲部材、第２の管状屈曲部材を前記立上がり壁部の所望の位置に締め付け固定する締め付け固定具と、
前記第１の管状屈曲部材の外周所望の位置に配置した仮設部材を構成する任意数のパイプ保持具と、
を有することを特徴とする仮設部材補助支持具。
【請求項２】
前記第１の管状屈曲部材の前記当接管状部における立上がり壁部の一方の立上がり壁面に当接させる領域、及び前記締め付け固定具の立上がり壁部の他方の立上がり壁面に当接させる領域には、各々ゴム板等の弾性材を取り付けていることを特徴とする請求項１記載の仮設部材補助支持具。
【請求項３】
前記第２の管状屈曲部材の側方管状部に取り付けた前記締め付け固定具は、回転操作する操作杆、側方管状部螺合部、前記立上がり壁部の他方の立上がり壁面に当接させる当接盤部を、回転操作変位を可能に構成していることを特徴とする請求項１記載の仮設部材補助支持具。
【請求項４】
前記パイプ保持具は、パイプを支持するクランプにより構成され、前記第１の管状屈曲部材の第１嵌合管状部、当接管状部に各々水平方向のパイプを支持する複数のクランプを取り付けていることを特徴とする請求項１又は２記載の仮設部材補助支持具。
【請求項５】
前記パイプ保持具は、パイプを支持するクランプにより構成され、前記第１の管状屈曲部材の第１嵌合管状部に、水平方向のパイプを支持する複数のクランプを取り付けているとともに、前記当接管状部に垂直方向でパイプを支持する複数のクランプを取り付けていることを特徴とする請求項１又は２記載の仮設部材補助支持具。
【考案の詳細な説明】
【技術分野】
【０００１】
本考案は、構成が簡略で、構成部品点数も少なく、かつ、立ち上がり壁部の上部や側方の領域の有効利用を実現することができる仮設部材補助支持具に関し、詳しくは、例えば、建設工事現場、解体工事現場等々においてベランダやバルコニーなどの立上がり壁部の頂部に掴み込み態様で装着したり、又は塀等の立上がり壁部の頂部に簡略操作で掴み込み態様で装着して、足場用のパイプや手摺り等の防護用のパイプ、更には、防護用のネット等の各種仮設部材を水平又は垂直方向で支持し得る仮設部材補助支持具に関するものである。
【背景技術】
【０００２】
従来、ベランダやバルコニー等の立上がり壁部の頂部に配置する仮設部材補助支持具としては、立上がり壁部の頂部領域の有効利用を実現することが要請される。
【０００３】
特許文献１には、ベランダ等の立上がり部の上端部に載置される横部材と、横部材の一端部に設けられ、前記立上がり部の一方の側面に当接可能に構成されるとともに、建設用の仮設部材を支持可能に構成された第１縦部材と、前記横部材の他端部に設けられ、前記立上がり部の他方の側面を押圧する押圧手段を備えた第２縦部材とからなる仮設部材支持用具において、前記横部材の長手方向に、それぞれの板面が略縦方向を向いて互いに平行に対向した状態に板部を離間させて配設し、それらの板部の間に上下に開放された横部材の長手方向の間隙部を形成するとともに、前記間隙部に前記第１縦部材又は第２縦部材の少なくともいずれか一方の縦部材を摺動可能に挿通した状態にて前記横部材側に固着するように構成し、その縦部材の横部材に対する固定位置を前記間隙部を介して縦横に調整可能にした構成の仮設部材支持用具が開示されている。
【０００４】
しかし、特許文献１の仮設部材支持用具の場合、第１縦部材に対して垂直圃回向でパイプを支持するクランプを設けたこと、前記横部材の長手方向に、それぞれの板面が略縦方向を向いて互いに平行に対向した状態に板部を離間させて配設し、それらの板部の間に上下に開放された横部材の長手方向の間隙部を形成していること、間隙部に押圧手段を備えた第２縦部材を位置調整可能に配置していること等から、構成が複雑であり、構成部品点数が多くなるものと推定される。
【０００５】
また、特許文献１の仮設部材支持用具の場合、横部材の上部にはクランプを設けていないことから、横部材の上部の領域の有効利用を図れないと推定される。
【先行技術文献】
【特許文献】
【０００６】
【特許文献１】特許第４０７３３９２号公報
【考案の概要】
【考案が解決しようとする課題】
【０００７】
本考案は、従来における上記事情に鑑み開発されたものであり、構成が簡略で、構成部品点数も少なく、かつ、立ち上がり壁部の上部や側方の領域の有効利用を実現することが可能な仮設部材補助支持具を提供するものである。
【課題を解決するための手段】
【０００８】
本考案の仮設部材補助支持具は、立上がり壁部の頂部に沿って配置する第１嵌合管状部と、立上がり壁部の一方の立上がり壁面に当接させる当接管状部とを屈曲形態で備える第１の管状屈曲部材と、前記第１の管状屈曲部材の第１嵌合管状部に対して立上がり壁部の頂部側で伸縮可能に嵌合させる第２嵌合管状部と、前記立上がり壁部を頂部側から掴み込む態様で前記立上がり壁部の他方の立上がり壁面側方に臨ませる側方管状部とを屈曲形態で備える第２の管状屈曲部材と、前記第１嵌合管状部、第２嵌合管状部の嵌合位置を位置決め固定する位置決め固定機構部と、前記第２の管状屈曲部材の側方管状部に取り付けられ、前記位置決め固定機構部により嵌合位置が位置決め固定された前記第１の管状屈曲部材、第２の管状屈曲部材を前記立上がり壁部の所望の位置に締め付け固定する締め付け固定具と、前記第１の管状屈曲部材の外周所望の位置に配置した仮設部材を構成する任意数のパイプ保持具と、を有することを最も主要な特徴とする。
【考案の効果】
【０００９】
請求項１記載の考案によれば、構成が簡略で、構成部品点数も少なく、かつ、立ち上がり壁部の上部や側方の領域の有効利用を実現することが可能な仮設部材補助支持具を実現し提供することができる。
【００１０】
請求項２記載の考案によれば、前記請求項１記載の第１の管状屈曲部材の前記当接管状部における立上がり壁部の一方の立上がり壁面に当接させる領域、及び前記締め付け固定具の立上がり壁部の他方の立上がり壁面に当接させる領域には、各々ゴム板等の弾性材を取り付けていることから、立上がり壁部の壁面保護を実現することが可能な仮設部材補助支持具を実現し提供することができる。
【００１１】
請求項３記載の考案によれば、前記請求項１記載の第１の管状屈曲部材の側方管状部に取り付けた前記締め付け固定具が、回転操作する操作杆、側方管状部螺合部、前記立上がり壁部の他方の立上がり壁面に当接させる当接盤部を回転操作変位可能に構成していることから、操作杆の回転操作という簡略操作により、前記第１の管状屈曲部材、前記第２の管状屈曲部材を立上がり壁部に締め付け固定できる仮設部材補助支持具を実現し提供することができる。
【００１２】
請求項４記載の考案によれば、前記請求項１又は２記載のパイプ保持具は、パイプを支持するクランプにより構成され、前記第１の管状屈曲部材の第１嵌合管状部、当接管状部に、各々水平方向のパイプを支持する複数のクランプを取り付けていることから、前記第１嵌合管状部の上方、及び当接管状部の側方に各々水平方向のパイプを支持する形態の基に、これらの領域の有効利用を図ることができる仮設部材補助支持具を実現し提供することができる。
【００１３】
請求項５記載の考案によれば、前記請求項１又は２記載のパイプ保持具は、パイプを支持するクランプにより構成され、前記第１の管状屈曲部材の第１嵌合管状部に、水平方向のパイプを支持する複数のクランプを取り付けているとともに、前記当接管状部に垂直方向でパイプを支持する複数のクランプを取り付けていることから、第１嵌合管状部の上方では水平方向のパイプを支持する形態、当接管状部の側方では垂直方向でパイプを支持する形態としてこれらの領域の有効利用を図ることができる仮設部材補助支持具を実現し提供することができる。
【図面の簡単な説明】
【００１４】
【図１】図１は本考案の実施例に係る仮設部材補助支持具の概略構成図である。
【図２】図２は図１のＡ−Ａ線概略断面図である。
【図３】図３は本考案の実施例に係る仮設部材補助支持具の例えば立ち上がり壁部の頂部に対する掴み込み設置の態様を示す使用態様図である。
【図４】図４は本考案の実施例の変形例に係る仮設部材補助支持具の例えば立ち上がり壁部の頂部に対する掴み込み設置の態様を示す使用態様図である。
【考案を実施するための形態】
【００１５】
本考案は、構成が簡略で、構成部品点数も少なく、かつ、立ち上がり壁部の上部や側方の領域の有効利用を実現することが可能な仮設部材補助支持具を実現し提供するという目的を、立上がり壁部の頂部に沿って配置する第１嵌合管状部と、前記立上がり壁部の一方の立上がり壁面に当接させる当接管状部とを屈曲形態で備える第１の管状屈曲部材と、前記第１の管状屈曲部材の第１嵌合管状部に対して立上がり壁部の頂部側で伸縮可能に嵌合させる第２嵌合管状部と、前記立上がり壁部を頂部側から掴み込む態様で前記立上がり壁部の他方の立上がり壁面側方に臨ませる側方管状部とを屈曲形態で備える第２の管状屈曲部材と、前記第１嵌合管状部、第２嵌合管状部の嵌合位置を位置決め固定する位置決め固定機構部と、前記第２の管状屈曲部材の側方管状部に取り付けられ、前記位置決め固定機構部により嵌合位置が位置決め固定された前記第１の管状屈曲部材、第２の管状屈曲部材を前記立上がり壁部の所望の位置に締め付け固定する締め付け固定具と、前記第１の管状屈曲部材の外周所望の位置に配置した仮設部材を構成する任意数のパイプ保持具と、を具備し、前記パイプ保持具は、パイプを支持するクランプにより構成され、前記第１の管状屈曲部材の第１嵌合管状部、当接管状部に各々水平方向のパイプを支持する複数のクランプを取り付けている構成により実現した。
【実施例】
【００１６】
以下、図面を参照して、本考案の実施例に係る仮設部材補助支持具について詳細に説明する。
【００１７】
本実施例の仮設部材補助支持具１は、構成が簡略で、構成部品点数も少なく、かつ、立ち上がり壁部の上部や側方の領域の有効利用を実現するものであり、例えば、建設工事現場、解体工事現場等においてベランダやバルコニーなどの立上がり壁部の頂部に簡略操作で掴み込み態様で装着して、又は塀等の立上がり壁部の頂部に掴み込み態様で装着して、前記立上がり壁部の頂部の上方や立上がり壁部の側方のような周辺領域の有効利用を簡略構成で実現するものである。
【００１８】
本実施例に係る仮設部材補助支持具１は、図１乃至図３に示すように、例えば足場等を構築するに際して、ベランダやバルコニー等の立上がり壁部３１の頂部にこの立上がり壁部３１の頂部を掴み込み態様で装着する構成としている。
【００１９】
すなわち、本実施例に係る仮設部材補助支持具１は、立上がり壁部３１の頂部の平坦面に沿って配置する第１嵌合管状部３と、立上がり壁部３１の一方の立上がり壁面３１ａに当接させる当接管状部４とを屈曲形態で備える第１の管状屈曲部材２と、前記第１の管状屈曲部材２の第１嵌合管状部３に対して立上がり壁部３１の頂部側で伸縮可能に嵌合させる第２嵌合管状部６と、前記立上がり壁部３１を頂部側から掴み込む態様で前記立上がり壁部３１の他方の立上がり壁面３１ｂの側方に臨ませる側方管状部７とを屈曲形態で備える備える第２の管状屈曲部材５と、前記第１嵌合管状部３、第２嵌合管状部６の嵌合位置を位置決め固定する位置決め固定機構部１１と、前記第２の管状屈曲部材５の側方管状部７に取り付けられ、前記位置決め固定機構部１１により嵌合位置が位置決め固定された前記第１の管状屈曲部材２、第２の管状屈曲部材５を前記立上がり壁部３１の所望の位置に締め付け固定する締め付け固定具２１と、前記第１の管状屈曲部材２の外周所望の位置に配置した仮設部材を構成する任意数のパイプ保持具である複数のクランプ８と、を有している。
【００２０】
本実施例では、前記第１嵌合管状部３の上面側に間隔を隔て水平配置のパイプ４１を支持する２個のクランプ８を、また前記当接管状部４の外面側に間隔を隔て水平配置のパイプ４１を支持する２個のクランプ８を各々着脱式で配置した構成としている。
【００２１】
前記第１の管状屈曲部材２の前記当接管状部４における立上がり壁部３１の一方の立上がり壁面３１ａに当接させる領域には、ゴム板等の弾性材９を皿頭ネジ、及びナットを用いて取り付けている。
【００２２】
また、前記第２の管状屈曲部材５の側方管状部７に取り付けた前記締め付け固定具２１は、回転操作する操作杆２２、側方管状部螺合部２３、前記立上がり壁部３１の他方の立上がり壁面３１ｂに当接させる当接盤部２４を、連結体２５を用いて一体化して、操作杆２２を回転操作することで、これらを回転操作変位可能に構成し、これにより、前記仮設部材補助支持具１を立上がり壁部３１の頂部の所望の位置に掴み込み態様で固定配置可能としている。
【００２３】
更に、前記当接盤部２４の他方の立上がり壁面３１ｂへの当接面領域には、ゴム板等の弾性材２６を取り付けている。
【００２４】
前記位置決め固定機構部１１は、例えば前記第１嵌合管状部３の外周部に一端が固着されたチェーン部材１２と、チェーン部材１２の他端に取り付けた位置決めピン１３と、前記第１嵌合管状部３及び第２嵌合管状部６の各垂直壁面部を一定間隔をもって貫くように穿設したピン穴３ａ、６ａを具備し、前記第１嵌合管状部３、第２嵌合管状部６の嵌合位置を前記立上がり壁部３１の厚さｔに応じて調整して、前記ピン穴３ａ、６ａの位置を合致させた状態で、前記位置決めピン１３を前記ピン穴３ａ、６ａの合致部分に嵌め込むことで、前記第１嵌合管状部３、第２嵌合管状部６の位置決め固定を行うように構成している。
【００２５】
本実施例では、前記位置決め固定機構１１を前記第１嵌合管状部３、第２嵌合管状部６にわたって２個所設けた構成としている。
【００２６】
以上説明した本実施例に係る仮設部材補助支持具１を複数個列設状態で組み合わせることにより、上述した第１の管状屈曲部材２と、第２の管状屈曲部材５との嵌合構造を利用して、建設工事現場、解体工事現場等におけるベランダやバルコニー等の立上がり壁部３１の頂部の領域やその周辺領域、又は、塀等の立上がり壁部３１の頂部の領域やその周辺領域を足場用のパイプ４１の固定や図示しないが安全柵用の手摺代用として有効に利用することが可能となる。
【００２７】
また、本実施例に係る仮設部材補助支持具１によれば、前記クランプ８を脱着式としたことで、１種類の仮設部材補助支持具１のみを用いて垂直方向と水平方向の２態様のパイプ支持構造を実現することもできる。
【００２８】
なお、前記立上がり壁部３１の厚さｔに関しては、本実施例の仮設部材補助支持具１による立上がり壁部３１の掴み幅として最小１３０ｍｍ〜最大４２０ｍｍに対応可能な寸法例を挙げることができ、前記立上がり壁部３１について厚さｔの異なる種々の物件に対応可能である。
【００２９】
この他、本実施例に係る仮設部材補助支持具１によれば、前記当接管状部４における立上がり壁部３１の一方の立上がり壁面３１ａに当接させる領域には、ゴム板等の弾性材９を取り付け、また前記当接盤部２４の他方の立上がり壁面３１ｂへの当接面領域にもゴム板等の弾性材２６を取り付けているので、立上がり壁部３１の損傷防止等の壁面保護を実現することもできる。
【００３０】
図４は、本実施例の変形例に係る仮設部材補助支持具１Ａの例えば立ち上がり壁部３１の頂部に対する掴み込み設置の態様を示すものである。
【００３１】
なお、図４に示す仮設部材補助支持具１Ａにおいて、図３に示す仮設部材補助支持具１の場合と同一の要素には同一の符号を付し、その詳細説明は省略する。
【００３２】
変形例に係る仮設部材補助支持具１Ａは、基本的構成は前記実施例に係る仮設部材補助支持具１の場合と同様であるが、前記第１の管状屈曲部材２の第１嵌合管状部３に、水平方向のパイプ４１を支持する複数のクランプ８を取り付けているとともに、前記当接管状部４に垂直方向でパイプ４１を支持する複数のクランプ８を取り付けていることが特徴である。
【００３３】
変形例に係る仮設部材補助支持具１Ａによれば、図３に示す仮設部材補助支持具１の場合と略同様な効果を奏する。
【００３４】
また、変形例に係る仮設部材補助支持具１Ａによれば、建設工事現場、解体工事現場等におけるベランダやバルコニー等の立上がり壁部３１の頂部の領域やその周辺領域、又は塀等の立上がり壁部３１の頂部の領域やその周辺領域を足場用のパイプ４１の水平配置での固定や図示しないが安全柵用の手摺代用として有効に利用することが可能となるとともに、前記第１の管状屈曲部材２の当接管状部４の側方領域において垂直配置に足場用のパイプ４１を固定支持することができ、当接管状部４の側方領域の有効利用を実現することが可能となる。
【００３５】
すなわち、変形例に係る仮設部材補助支持具１Ａによれば、１種類の製品の複数個の組み合わせで、ベランダやバルコニー等の立上がり壁部３１の頂部の領域やその周辺領域については水平配置のパイプ４１により、当接管状部４の側方領域においては、垂直配置のパイプ４１により、これら各領域各々の有効利用を実現することが可能となる。
【００３６】
なお、図示しないが、前記第１の管状屈曲部材２の第１嵌合管状部３の上面側にも垂直配置のパイプ４１を支持する複数のクランプ８を配置する構造とすることも可能である。
【産業上の利用可能性】
【００３７】
本考案の仮設部材補助支持具は、各種解体工事現場の他、ビルディング等の建設工事現場、ダム工事やトンネル工事等の各種の土木工事現場のような対象箇所に関して広範に利用可能である。
【符号の説明】
【００３８】
１    仮設部材補助支持具
１Ａ  仮設部材補助支持具
２    第１の管状屈曲部材
３    第１嵌合管状部
３ａ  ピン穴
４    当接管状部
５    第２の管状屈曲部材
６    第２嵌合管状部
６ａ  ピン穴
７    側方管状部
８    クランプ
９    弾性材
１１    位置決め固定機構部
１２    チェーン部材
１３    位置決めピン
２１    締め付け固定具
２２    操作杆
２３    側方管状部螺合部
２４    当接盤部
２５    連結体
２６    弾性材
３１    立ち上がり壁部
３１ａ  立ち上がり壁面
３１ｂ  立ち上がり壁面
４１    パイプ
ｔ    厚さ
【図１】
0003233176.tif 000003
【図２】
0003233176.tif 000004
【図３】
0003233176.tif 000005
【図４】
0003233176.tif 000006